(57)【要約】【課題】衣服収納数の増減と丈の異なる衣服収納に対応した組立式ハンガーを提供する。【解決手段】組立式ハンガー１を構成する骨組４に固定した竿の内、少なくとも一本を短竿１４として、その短竿の自由端から内竿２４を挿入し、横方向に移動が可能な内側独立支柱２１に内竿外端を固定する。同様に、竿１３の固定端から内竿２８を挿入し、横方向に移動が可能な外側独立支柱２６に内竿外端を固定する。両独立支柱を動かして内竿２４，２８を出し入れすることにより、長さを変え、組立式ハンガー内外に衣服収納数の増減と丈の異なる衣服に対応した置場を調整する事が可能な構造とした。【選択図】　　　　　図４
2004049441.tif 000002
【特許請求の範囲】
【請求項１】
小口径の管材で組み立てた骨組内部に、竿を配置してなる衣服収納家具に於いて、
骨組（４，５１）内部に置いた竿の内、少なくとも一本を短竿（１４，５８）として、その竿と内側独立支柱（２１，　５９）を組合せる構成により、収納家具内部の竿同士の位置関係を可変とした組立式ハンガー。
【請求項２】
内側独立支柱（２１）に短竿（１４）の自由端から挿入した内竿（２４）外端を固定し、短竿に対して内側独立支柱を移動させ、内竿の出入り長さを調節する構成とした請求項１に記載の組立式ハンガー。
【請求項３】
内側独立支柱（５９）を折曲げた短竿（５８）の自由端に挿入し、内側独立支柱に対して短竿を移動させ、高さ方向を調節する構成とした請求項１に記載の組立式ハンガー。
【請求項４】
内側独立支柱（２１）に短竿（１４）より上の竿（１３）表面を滑動する支点（２３）を取り付けた請求項２に記載の組立式ハンガー。
【請求項５】
骨組（４，５１）を構成する竿（１３，１４，５７）の固定端から内竿（２８，６２）を挿入し、内竿外端を外側独立支柱（２６，６０）に固定し、その外側独立支柱の移動で内竿の出入り長さを調整する構成を加えた請求項１に記載の組立式ハンガー。
【発明の詳細な説明】
【０００１】
【産業上の利用分野】
本発明は、衣服の収納を主目的にして、金属管材を主部材に使用した組立式ハンガーに関する。
【０００２】
【従来の技術】
工場で生産した部材を梱包し、販売に供する衣服収納用の組立式家具は、原則として開梱と組立が購入者の負担になる。この様な、生産者が組立工程を省く商品は多岐にわたるが、何れも、軽量・簡易構造・分解組立容易・安価と言う共通点を備える。材料は、大きい物に金属か木材を主材に選ぶことが多く、小さい物に樹脂が選ばれ易い。
【０００３】
金属を使用する組立式家具の主部材形状は、棚用は形物と板物の組合せ、衣服用は管物の組合せで構成する事が多い。管物を使用する組立式家具は、通常、組立式ハンガーと称し薄肉小管で骨組を形成し、構造的に移動型と固定型がある。用途は、タンスと呼ぶ着物・洋服等の衣類整理用木製家具の補助用具として使用する。
【０００４】
組立式ハンガーの内で固定する構造は、支柱を四隅に置き支柱間を連結材で接続して所要の形に仕上げる。正面は衣類の出し入れのため、背面・両側面に比べ連結材数は少ない。ハンガーは高さと幅の調節が出来るものがある。調節構造は口径の異なる管を嵌合して抜け止めを施し、内側の管を軸芯方向に移動させる構造で、ハンガー全体をカーテン付きカバーで覆う場合もある。
【０００５】
【発明が解決しようとする課題】
衣服の収納には、当初、家に作り付けた家具や移動は出来るが固定寸法の木製家具を使用する。衣服が増えると固定家具より扱い易い組立式ハンガーが、補助家具として使用される様になる。また、木製家具は固定寸法のために家具上端と天井の間に隙間を巧く利用し難いが、この課題は、組立式ハンガーのような簡易家具にも共通して残されている。
【０００６】
組立式ハンガーは支柱と連結材を組合せねじ止めする簡易接続が多く、組立後の変形が起り易い。また、調節機能を満たす構造も本体強度を弱める。従って、機能の使用頻度が高い用途には大型化が難しく、低頻度の用途では大型化の可能性が残される。前者にはキャスター付き移動ハンガーがあり、後者には設置初期に調節するだけの固定ハンガーがある。
【０００７】
また、組立式ハンガーを使い勝手から見ると、衣服収納量に限界のある事、丈の異なる衣服への対応が難しいと言う課題がある。即ち、内部容積を有効に利用する構造としては充分とは言えない。本願発明は、固定ハンガーでありながら、高頻度の調節を可能として、衣服収納量と丈の異なる衣服の課題を解決する手段の提供を目的とする。
【０００８】
【課題を解決するための手段】
本発明は、小口径の管材で組み立てた骨組内部に、竿を配置してなる衣服収納家具に於いて、
骨組内部に置いた竿の内、少なくとも一本を短竿として、その竿と内側独立支柱を組合せる構成により、収納家具内部の竿同士の位置関係を可変とした組立式ハンガーである。
【０００９】
【発明の実施の形態】
本発明は、管物で構成する組立式ハンガーの強度を増すため、溶接で方形枠状とするか両端を折曲げた部材をＸ字状に交差固定した上部部材を使用し、高さの伸縮機能を持つ主支柱を接続する構造とした。この構造はハンガーと天井の隙間を短縮し転倒防止を可能とした。また、竿を左右枠組の連結材に強固に接続し、全体の変形を防止して安定性を高めた。
【００１０】
衣服の収納数を増すため、組立式ハンガーの左右の枠組に接続出来る竿段数を最大三とした。下段を短竿として自由端から内竿を挿入し、内竿外端を転倒防止を兼ね中段の竿上を滑動する支点とキャスター付き内側独立支柱に固定した。また、折曲げた短竿の自由端を内側独立支柱に挿入して短竿を高さ方向に動かす。何れも、丈の異なる衣服を扱う時に移動し竿同士の位置関係を調整する。
【００１１】
組立式ハンガーの左右の枠組から突き出した竿の固定端に内竿を挿入し、その内竿外端をキャスター付き外側独立支柱に固定した。外側独立支柱を衣服収納数の変化に見合う様に移動させて収納数の増減に対応する。外側独立支柱に装着する内竿数はハンガー内の竿数を最大とする。但し、下段の短竿を利用すると調節範囲は狭くなる。
【００１２】
組立式ハンガーを構成する部材は、主支柱に断面形状が円管を使用し、連結材や竿は断面形状が円または方形管から選択して使用した。主部材の多くは円管で構成し、各接続部をねじで組み立てるが、左右枠の連結材のみを竿を通す孔を側面に開口出来る様に方形管を使用し、竿との接続にフランジを併用して、複数のボルトナットで止めるとハンガー強度はより高まる。
【００１３】
【作用】
本発明は、組立式ハンガー内外に移動可能な独立支柱を備え、その独立支柱の動きで内竿を出入りさせ、収納数の増加や丈の異なる衣服に対応する。
【００１４】
【実施例１】
図１は、内竿を格納した外側独立支柱付き組立式ハンガーの斜視図である。図２は、図１の内竿を引き出した組立式ハンガーの斜視図である。図３は、図１からカバー・カーテンを除いた骨組の全体斜視図である。図４は、図２からカバー・カーテンを除いた骨組の全体斜視図である。図５は、骨組の着脱部を展開した斜視図である。
【００１５】
図１のように、組立式ハンガー１は本体外側のキャスター２７付き外側独立支柱４を除いた残りを着脱可能なカバー２とカーテン３で覆う。図２のように、外側独立支柱２６を移動すると、組立式ハンガーの中空竿に挿入した内竿２８が出入りする。この部分を、衣服収納数の増加に充てる他、季節衣服の保管場とすると探し易くカーテンの開閉手間もない。
【００１６】
図３，４のように、図１，２からカバーとカーテンを除いた組立式ハンガー１の骨組４は、全体の剛性を高めるため溶接一体構造の上部枠組５と左右枠組７を使用した。骨組４の内側には外側と同様にキャスター２２付き内側独立支柱２１を置き、矢印方向に移動すると竿１３から内竿２８、竿１４から内竿２４が出入りする。この部分は丈の短い衣服の収納場所に充て収納効率を高める。
【００１７】
骨組の詳細構成を着脱部を示す図５で説明する。溶接で管物を方形立方体に仕上げた脚６と竿１２を含めた上部枠組５を主支柱８に嵌め、接手と接続部９に伸縮機能を付与して高さを調整する。前後一組の主支柱と奥行連結材１０，１１を溶接固定して左右に枠組７を形成する。特に、竿１３と短竿１４を着脱可能に接続する奥行連結材は方形断面材を使用する。
【００１８】
左右の枠組６の間に幅連結材１５を渡して接続する。ハンガー正面は衣服を扱うため左右の枠組間に連結材はない。衣服を収納する竿は上部枠組５に組込んだ竿１２の他、左右の枠組７の奥行連結材１０の孔１６に通してフランジ１７で固定した竿１３が、何れも構造材として骨組の変形防止に役立つ。下段の短竿１４を中段と同長の竿に代えると構造材として働く。
【００１９】
内側独立支柱２１は、下端にキャスター２２と上端に中段の竿１３の上を滑動する支点２３を付け、中間に内竿２４を連結して、独立支柱の転倒と竿の垂れ下がりを防止する。外側独立支柱２６に付ける内竿２８の数は、竿の支持構造を同じにすれば竿数だけ付けられる。但し、下段の短竿１４を含むと全体の伸縮範囲が制限される。
【００２０】
この様な三段の組立式ハンガー１は、高くして上端を天井に近ずけるとハンガーの転倒防止に役立つ。竿１３，１４と奥行き連結材１０との接続フランジ１７は複数のボルトナット、幅連結材１５の接続にはねじを使用する。接続部９には抜け止めをつけるが、この構造は公知の手段から適宜選択する。高位置の衣服は鉤付棒３０で上げ下ろし不使用時は連結材等に掛けておく。
【００２１】
【実施例２】
図６は、管物の両端を折曲げ交差して形成した上部枠組下方に、伸縮機能を付与した組立式ハンガーの骨組の斜視図である。図７は、骨組の着脱部を展開した斜視図である。図８は、図６の骨組に実施例１の外側独立支柱による伸縮機能と同様機能を付加した斜視図である。
【００２２】
図６，７のように、折曲げた管材物の中央部を回動自在に交差接続した上部枠組５２をＸ字状に開き、脚５３を主支柱５５の接続部５４に差し込む。衣服を取り扱う正面を除き背面・側面相当の支柱間を連結材５６で接続すると共に、連結材間に竿５７を渡して固定する。上部枠組と主支柱の接続部に、高さの伸縮機能を付け、実施例１と同様に抜け止めを付ける。
【００２３】
Ｘ字状に開いた上部枠組５２を連結材５６で固定すると、骨組５１が強化されて変形し難くなりグラツキのない安定した構造が得られる。骨組を構成する下方の連結材５６には折曲げた短竿５８を付け、その短竿の折曲げた自由端を内側独立支柱５９に挿入して支え、連結材と内側独立支柱の位置を移動すると短竿の高さが調節出来る。
【００２４】
短竿５８の高さ調節により、丈の異なる衣服に適した場所が得られ収納効率が向上する。伸縮機能を独立支柱でなく実施例１と同様に短竿側に付けても同様な効果が得られる。また、図８のように、竿５７と連結材５６の接続時に、竿端の利用が出来る様にすると、実施例１と同様にキャスター６１と内竿６２による伸縮機能付き外側独立支柱６０を付加することも出来る。
【００２５】
【発明の効果】
本発明の組立式ハンガーの使用により下記の効果を得た。
▲１▼短竿と内竿からなる伸縮機能付き内側独立支柱は、衣服の丈に対する順応性が向上し収納効率を高めた。
▲２▼短竿と内竿による伸縮機能付き外側独立支柱は、衣服収納数の増加と季節衣服の置場を提供し選び易くした。
▲３▼剛性を高めた上部枠組の使用でハンガーの安定性を向上し、三段掛けでハンガー上端と天井の隙間を狭め設置場所の有効利用に寄与した。
【図面の簡単な説明】
【図１】実施例１の内竿を格納した外側独立支柱付き組立式ハンガーの斜視図である。
【図２】図１の内竿を引き出した組立式ハンガーの完成斜視図である。
【図３】図１からカバー・カーテンを除いた骨組の全体斜視図である。
【図４】図２からカバー・カーテンを除いた骨組の全体斜視図である。
【図５】骨組の着脱部を展開した斜視図である。
【図６】実施例２の管材の両端を折曲げ交差して形成した上部枠材下方に、伸縮機能を付与した組立式ハンガーの骨組の斜視図である。
【図７】骨組の着脱部を展開した斜視図である。
【図８】図６の骨組に実施例１の外伸縮機能と同様な機能を付加した斜視図で、本体については伸縮機能を付与した周辺のみ示した。
【符号の説明】
１　　組立式ハンガー
４，５１　骨組
５，５２　上部枠組
６，５３　脚
７　左右の枠組
８，５５　主支柱
１０，１１，５６　奥行連結材
１２，１３　竿
１４　短竿
１５　幅連結材
２１　内側独立支柱
２４，２８，６２　内竿
２６，５９　外側独立支柱
【図１】
2004049441.tif 000003
【図２】
2004049441.tif 000004
【図３】
2004049441.tif 000005
【図４】
2004049441.tif 000006
【図５】
2004049441.tif 000007
【図６】
2004049441.tif 000008
【図７】
2004049441.tif 000009
【図８】
2004049441.tif 000010